(57)【要約】  【課題】  ケーキの箱等は、組み立てておくと場所をとるため、お客の注文を受けてから箱を組み立てる事が多い。しかし、組み立てが早く、簡単に出来る箱は、箱製造時に接着工程が必須であったり、側壁に斜めの折り筋が入ったり、底が４枚重ねになり平面性と外観が保たれなっかたり、かつ箱強度が出ないなど多くの品質を犠牲にして組み立てスピードを出している。組み立てが簡単で、外観も良く、箱強度のある組み立て箱が求められていた。  【解決手段】  四角い箱で、底板の３辺に縁接する側壁板の中央側壁板の上辺に縁接されたコーナーフラップ抑え板で、左右側壁板の中央側壁板側の側端辺と少なくとも繋がっているコーナーフラップを中央側壁板との間に挟み込み、コーナーフラップ抑え板の左右端に縁接された係止フラップの底板側先端の突起が底板の切れ込みに差し込まれ、箱の起立状態が簡単にロックされるようにした。  【選択図】  図３
2006089085.tif 000002
【特許請求の範囲】
【請求項１】
四角形の底板の少なくとも３辺に、それぞれ縁接する側壁板を持ち、３つの側壁板で形成される２つのコーナーには中央に折り筋を有し隣り合う側壁板と繋がっているか、または該左右側壁板の中央側壁板側の側端辺のみに縁接されたコーナーフラップを有し、そのコーナーフラップを中央側壁板の内壁に押しつけ、該中央側壁板の上辺に縁接するコーナーフラップ抑え板をコーナーフラップを中央側壁板とコーナーフラップ抑え板との間に挟み込むように折り込み、その時コーナーフラップ抑え板の左右端辺及び上辺に縁接された係止フラップがそれぞれ左右側壁板及び底板に面で接し、コーナーフラップ抑え板の左右端辺に縁接された係止フラップには、底板側の先端辺に係止フラップ突起を有し、底板に設けられた底板切れ込みに差し込まれ、コーナーフラップ抑え板をコーナーフラップとともに中央側壁板に押しつけた状態で固定し、箱の起立を完成させるようにした紙箱。
【発明の詳細な説明】
【技術分野】
【０００１】
本発明は、安価で、外観が良く、組み立てが簡単な紙箱に関する。
【背景技術】
【０００２】
洋菓子、和菓子等の紙箱には多くの組み立て箱が使われている。組み立て箱は、折り畳んだ状態でお店に納入され、お店で組み立てて商品を収納するため、お店での組み立ての簡便さが求められている。お客が来る前に予め組み立てておけば場所をとり、繁盛する店ほど、店頭での紙箱の組み立てが簡単なものを求めている。しかし、組み立てが簡単な箱ほど、製造過程で接着工程など余計な工程を必要としており、かつ品質を犠牲にしている。例えば特許文献１では、箱側面に斜めの折り筋が入って外観を犠牲にし、特許文献２では、箱底面を４枚の合わせ底板とし、商品を載せる重要面の安定性と外観を犠牲にしている。
【特許文献１】実用新案登録３０５８７７５
【特許文献２】特開平０９−８６５３４
【発明の開示】
【発明が解決しようとする課題】
【０００３】
解決しようとしている課題は、製造過程で接着工程などを必要とせず、箱側面に斜め折り筋が入らず、また箱底面も１枚の底板から出来ている、組み立てが簡単で、外観も綺麗な組み立て紙箱を提供する事にある。
【課題を解決するための手段】
【０００４】
課題解決手段は、四角形の底板の少なくとも３辺に、それぞれ縁接する側壁板を持ち、３つの側壁板で形成される２つのコーナーには中央に折り筋を有し隣り合う側壁板と繋がっているか、または該左右側壁板の中央側壁板側の側端辺のみに縁接されたコーナーフラップを有し、そのコーナーフラップを中央側壁板の内壁に押しつけ、該中央側壁板の上辺に縁接するコーナーフラップ抑え板をコーナーフラップを中央側壁板とコーナーフラップ抑え板との間に挟み込むように折り込み、その時コーナーフラップ抑え板の左右端辺及び上辺に縁接された係止フラップがそれぞれ左右側壁板及び底板に面で接し、コーナーフラップ抑え板の左右端辺に縁接された係止フラップには、底板側の先端辺に係止フラップ突起を有し、底板に設けられた底板切れ込みに差し込まれ、コーナーフラップ抑え板をコーナーフラップとともに中央側壁板に押しつけた状態で固定し、箱の起立を完成させるような紙箱とした。
【発明の効果】
【０００５】
上記課題解決手段による作用は次の通りである。即ち、少なくとも３枚の側壁板で形成される２つのコーナーにはコーナーフラップを有し、該コーナーフラップは左右側壁板の中央側壁板側とは必ず繋がっており、このコーナーフラップを中央側壁板とその上辺に縁接されたコーナーフラップ抑え板との間に挟み込めば、３枚の側壁板はコの字状に起立し、コーナーフラップ抑え板の左右端辺に縁接された係止フラップの底板側の先端の係止フラップ突起が底板に設けられた底板切れ込みに差し込まれれば、コーナーフラップ抑え板及びコーナーフラップを中央側壁板に押しつけた状態、即ち、箱が起立した状態を簡単に固定、ロックさせてしまう事が出来る。
【０００６】
このように、本課題解決手段によれば、箱の起立は簡単で、しかも側壁面に折り筋はなく、底板は１枚構成で起立した箱の強度は高く外観も綺麗、しかも紙を打ち抜いただけで、接着など余計な工程を必要とせず、安価で供給出来るという優れた効果を有している。
【発明を実施するための最良の形態】
【０００７】
ケーキ箱を想定して以下の実施を行った。紙は、ジェットエース（大昭和製紙、350g/m2）を使用した。本発明は３つの側壁だけで、しっかりと箱が起立するため、以下に示す２実施例は、中央側壁板の反対側の側壁を開閉可能な仕様と組み合わせた。
【実施例１】
【０００８】
本実施例は、コーナーフラップ５（５ａ、５ｂ及び５ｃ、５ｄ）がコーナーフラップ抑え板６をその上辺に縁接する中央側壁板３とその左右の側壁板２ａ、２ｂとを繋いでいるケースであり、コーナーフラップ５には中央折り筋５ａｂ、５ｃｄを有する。図１は本実施例の展開図である。
【０００９】
図２は、折り筋１１ａ、１１ｂから側壁板２ａ、２ｂを底板面に折り畳み、その上にコーナーフラップ抑え板６及び、蓋１３を折り畳んだ所を示す。箱を使用するユーザーにはこの折り畳んだ状態で出荷する。図では、折り畳み状態を分かりやすくするため、若干浮き上がった状態の図とした。
【００１０】
図３は、組み立て途中図である。コーナーフラップ５（５ａ、５ｂ及び５ｃ、５ｄ）をコーナーフラップ抑え板６で挟み込む直前を示している。
【００１１】
図４は、コーナーフラップ５（５ａ、５ｂ及び５ｃ、５ｄ）をコーナーフラップ抑え板６で中央側壁板３との間に挟み込み、係止フラップ突起７ａｔが、底板切れ込み８ａに差し込まれ、箱の起立が完成している状態を示している。係止フラップ突起７ｃｔが底板切れ込み８ｂに差し込まれた様子は、この図では隠れて見えない。
【００１２】
図５は、蓋１３を閉めた、完成箱を示す。
【実施例２】
【００１３】
コーナーフラップ５（５ｅ、５f）が中央側壁板とは繋がっていないケースをで、展開図は図６に示す。
【００１４】
折り畳んだ状態は図２と同じである。
【００１５】
図７は組み立て途中図である。コーナーフラップ５（５ｅ、５ｆ）をコーナーフラップ抑え板６で挟み込む直前を示している。
【００１６】
コーナーフラップ５（５ｅ、５ｆ）をコーナーフラップ抑え板６で中央側壁板３との間に挟み込み、係止フラップ突起７ａｔが、底板切れ込み８ａに差し込まれ、箱の起立が完成するが、実施例１の図４と同じに見えるので省略する。
【００１７】
蓋をして、完成である。図５とかわらないので省略する。
【図面の簡単な説明】
【００１８】
【図１】実施例１の展開図
【図２】実施例１及び２の折り畳み状態図
【図３】実施例１の組み立て途中図
【図４】実施例１及び２の起立、ロック終了図
【図５】実施例１及び２の蓋締め終了図
【図６】実施例２の展開図
【図７】実施例２の組み立て途中図
【符号の説明】
【００１９】
１        底板
２〜４    側壁板
５ａ〜５ｄ実施例１のコーナーフラップ
５ａｂ    実施例１のコーナーフラップ折り筋
５ｃｄ    実施例１のコーナーフラップ折り筋
５ｅ      実施例２のコーナーフラップ
５ｆ      実施例２のコーナーフラップ
６        コーナーフラップ抑え板
７        係止フラップ
７ａｔ    係止フラップ突起
７ｂｔ    係止フラップ突起
８ａ      底板切れ込み
８ｂ      底板切れ込み
９        折り筋
１０        折り筋
１１ａ      折り筋
１１ｂ      折り筋
１２        折り筋
１３        蓋
【図１】
2006089085.tif 000003
【図２】
2006089085.tif 000004
【図３】
2006089085.tif 000005
【図４】
2006089085.tif 000006
【図５】
2006089085.tif 000007
【図６】
2006089085.tif 000008
【図７】
2006089085.tif 000009